(57)【特許請求の範囲】
【請求項１】
集合住宅の各階床を昇降するエレベータの乗りかごと、この乗りかご内に設けたかご呼び釦、及び前記集合住宅の各階乗場に設けた乗場呼び釦の押下にて登録された階床へ前記乗りかごを走行させるエレベータ制御装置と、前記乗りかご及び前記各階乗場に設けられ、前記乗りかごの位置を表示するかご位置表示装置と、を備えるとともに、前記集合住宅の各居室の任意場所へ少なくとも一ヶ所設けられ、侵入者の動きを検出すると信号を出力する防犯センサと、この防犯センサの出力信号にて、通信回線を介して遠隔的に接続される少なくとも警備会社へ、前記居室へ侵入者が入室した旨の防犯信号を出力する防犯端末装置と、を具備した集合住宅の防犯装置において、
前記防犯端末装置から防犯信号を受信した前記エレベータ制御装置は、侵入者を検出した前記防犯センサの設置階床に対し、前記かご位置表示装置の該当階床の表示灯を点灯指令するとともに、前記かご位置表示装置の点灯指令された該当階床の表示灯以外の表示を点滅指令する防犯時表示灯制御装置と、
侵入者を検出した前記防犯センサの設置階床に対し、前記かご呼び釦の登録及び前記乗場呼び釦の登録を無効とする防犯時呼び登録無効装置と、
侵入者を検出した前記防犯センサの設置階床に、前記乗りかごが停止しているとき、前記乗りかごを最寄階へ走行させる防犯時乗りかご走行指令装置と、
を起動させるようにしたことを特徴とする集合住宅の防犯端末装置。
【発明の詳細な説明】
【技術分野】
【０００１】
本発明は、集合住宅の防犯装置に係り、特に集合住宅に設けられるエレベータを活用した集合住宅の防犯装置に関する。
【背景技術】
【０００２】
従来、集合住宅に設けられるエレベータの乗場の死角となる場所への侵入者の動きで、信号を出力する防犯センサを設け、この防犯センサが侵入者を検出すると、センサが動作した階床ヘエレベータ乗りかごを停止させない技術が開示されている（特許文献１）。
【先行技術文献】
【特許文献】
【０００３】
【特許文献１】特開２００６−２５６８３１号公報
【発明の概要】
【発明が解決しようとする課題】
【０００４】
上記特許文献１の技術は、侵入者を検出した階床ヘエレベータ乗かごを停止させないようにしたことで、エレベータの乗客の安全は守られるが、乗かごが該当階床へ停止しないので、エレベータに異常が発生したと誤解を招いたり、侵入者の存在を知らしめていないため、集合住宅の入居者が不用意にも侵入者が隠れている乗場の死角となる場所へ近づき、危険な状態となるおそれがある。
【０００５】
本発明の目的は、防犯センサが動作及び動作した階床を知らしめ、集合住宅の居住者及び来訪者の危険を極力回避することができる集合住宅の防犯装置を提供することにある。
【課題を解決するための手段】
【０００６】
上記目的を達成するために、本発明は、集合住宅の各階床を昇降するエレベータの乗りかごと、この乗りかご内に設けたかご呼び釦、及び前記集合住宅の各階乗場に設けた乗場呼び釦の押下にて登録された階床へ前記乗りかごを走行させるエレベータ制御装置と、前記乗りかご及び前記各階乗場に設けられ、前記乗りかごの位置を表示するかご位置表示装置と、を備えるとともに、前記集合住宅の各居室の任意場所へ少なくとも一ケ所に設けられ、侵入者の動きを検出すると信号を出力する防犯センサと、この防犯センサの出力信号にて、通信回線を介して遠隔的に接続される少なくとも警備会社へ、前記居室へ侵入者が入室した旨の防犯信号を出力する防犯端末装置と、を具備した集合住宅の防犯装置において、前記防犯端末装置から防犯信号を受信した前記エレベータ制御装置は、侵入者を検出した前記防犯センサの設置階床に対し、前記かご位置表示装置の該当階床の表示灯を点灯指令するとともに、前記かご位置表示装置の点灯指令された該当階床の表示灯以外の表示を点滅指令する防犯時表示灯制御装置と、侵入者を検出した前記防犯センサの設置階床に対し、前記かご呼び釦の登録及び前記乗場呼び釦の登録を無効とする防犯時呼び登録無効装置と、侵入者を検出した前記防犯センサの設置階床に、前記乗りかごが停止しているとき、前記乗りかごを最寄階へ走行させる防犯時乗りかご走行指令装置と、を起動させるようにしたものである。
【発明の効果】
【０００７】
本発明によれば、侵入者によって、防犯センサが動作した旨を、エレベータのかご位置表示装置に設けた表示灯の点滅で知らしめるとともに、侵入者を検出した階床をかご位置装置表示装置の表示灯の点灯で知らしめ、侵入者検出階床のかご呼び釦及び乗場呼び釦を登録不能とし、侵入者検出階床に乗りかごが停止しでいるとき、乗りかごと他階へ走行させるとようにしたので、集合住宅の居住者及び来訪者と侵入者の接近は希となり、居住者及び来訪者の安全が確保できる。
【図面の簡単な説明】
【０００８】
【図１】本発明の一実施形態の要部構成を示すブロック図である。
【図２】本発明の一実施形態の動作を説明するフローチャートである。
【発明を実施するための形態】
【０００９】
以下、本発明に係る集合住宅の防犯装置の一実施形態を、図１、図２に基づいて説明する。
【００１０】
図１において、複数の住戸が集合して棟を構成する集合住宅１は、集合住宅１の図示しない居住者が生活する複数の居室である２０１号室２、２０２号室３と、集合住宅１の管理業務を請け負う図示しない管理人が常駐する図示しない管理人室と、を少なくとも有している。
【００１１】
また、２０１号室２、２０２号室３のそれぞれは、図示しない居住者が出入りするドア２Ａ、３Ａと、採光と通気を目的とした窓２Ｂ、３Ｂと、を備えている。
【００１２】
また、ドア２Ａ、３Ａには、ドアからの侵入者を検知するドア用防犯センサ２Ａａ、３Ａａを備えており、施錠状態時にドア２Ａ、３Ａが開いたときに信号を出力するよう構成されている。
【００１３】
また、窓２Ｂ、３Ｂには、窓からの侵入者を検知する窓用防犯センサ２Ｂａ、３Ｂａを備えており、窓２Ｂ、３Ｂに設けられる図示しないガラスの破壊音、或は窓２Ｂ、３Ｂの振動を検知して信号を出力するよう構成されている。ここで、防犯センサは、ドア用防犯センサ２Ａａ、３Ａａと窓用防犯センサ２Ｂａ、３Ｂａの２個所であるが、居室毎に自由に設けても良い。これらドア用防犯センサ２Ａａ、３Ａａ及び窓用防犯センサ２Ｂａ、３Ｂａは、図示しない管理人室に設置される防犯端末装置４へ接続されている。
【００１４】
また、防犯端末装置４は、ドア用防犯センサ２Ａａ、３Ａａ及び窓用防犯センサ２Ｂａ、３Ｂａ等に接続される入力装置５と、防犯端末装置４内の各機器の演算制御処理を行なう制御装置６と、ドア用防犯センサ２Ａａ、３Ａａ及び窓用防犯センサ２Ｂａ、３Ｂａ等の防犯センサが設置される階床や居室番号を記憶する記憶装置７と、後述するエレベータ制御装置へ情報を出力する通報装置８と、で少なくとも構成されている。
【００１５】
ここで、例えばドア用防犯センサ２Ａａの動作信号は入力装置５で入力され、このドア用防犯センサ２Ａａの動作信号を認識した制御装置６は、記憶装置７を参照して動作したドア用防犯センサ２Ａａの居室と階床を特定し、通報装置８を介して、エレベータ制御装置９に動作したドア用防犯センサ２Ａａの階床情報を送信する。
【００１６】
また、エレベータに設けられる電気機器の制御を行なうエレベータ制御装置９は、防犯端末装置４から防犯センサが動作した階床情報を少なくとも取得する入力装置１０と、エレベータ電気機器の制御を行なう制御装置１１と、エレベータ電気機器へ信号を出力する出力装置１２と、で少なくとも構成されている。
【００１７】
また、制御装置１１には、走行して各階床へ停止する乗りかご１３に対し、不停止とする階床を指令するかご不停止階指令部１１Ａと、乗りかご１３の位置を表示灯の点灯で知らせ、全表示灯の点滅で異常発生を知らしめるかご位置表示灯制御部１１Ｂと、を少なくとも有している。
【００１８】
また、エレベータの乗りかご１３内には、かごドア１３Ａの開端近傍にかご呼び釦１４ａ〜１４ｅが配設され、かごドア１３Ａの上部近傍に乗りかご１３の位置を表示するかご位置表示灯１５に１階表示灯１５ａ〜５階表示灯１５ｅが配設され、エレベータの乗場１６に設けられる乗場ドア１７の開端近傍にインジケータ１８が設置され、このインジケータ１８には、上昇用及び下降用の乗場呼び釦１８Ａ，１８Ｂと、乗りかご１３の位置を表示するかご位置表示灯の１階表示灯１８ａ〜５階表示灯１８ｅが配設されている。ここで、出力装置１２に接続されるエレベータ電気機器として、かご呼び釦１４ａ〜１４ｅ、１階表示灯１５ａ〜５階表示灯１５ｅ、乗場呼び釦１８Ａ，１８Ｂ、１階表示灯１８ａ〜５階表示灯１８ｅ等がある。
【００１９】
次に、本実施形態の動作の説明を、図２のフローチャートにて説明する。
【００２０】
例えば、集合住宅１の居室である２０１号室２に図示しない不審者が侵入し、２０１号室２のドア２Ａに設けたドア用防犯センサ２Ａａが動作すると（ステップＳＡ１）、防犯端末装置４の入力装置５を介し、ドア用防犯センサ２Ａａに予め付されているＩＤを含む侵入情報が制御装置６に入力され、制御装置６は、侵入情報に含まれるＩＤに基づいて記憶装置７を参照し、動作したドア用防犯センサ２Ａａの居室である２０１号室２と、その階床である２階を特定する（ステップＳＡ２）。
【００２１】
次に、制御装置６は２０１号室２のドア用防犯センサ２Ａａが動作した旨を、図示しない通信回線を介して遠隔的に接続される図示しない防犯センタヘ通報するとともに、侵入が発生した階床である２階の階床情報を含む防犯信号をエレベータ制御装置９へ出力する（ステップＳＡ３）。
【００２２】
次に、エレベータ制御装置９の制御装置１１は、入力装置１０を介し防犯端末装置４から防犯信号の送信の有無を検出し（ステップＳＢ１）、防犯信号が無の場合は、エレベータの通常運転制御を行なう（ステップＳＢ２）。
【００２３】
また、制御装置１１は、ステップＳＢ１で防犯信号の入力を検出すると、防犯信号から階床情報を抽出して階床である２階を取得する（ステップＳＢ３）。
【００２４】
次に、制御装置１１のかご不停止階指令部１１Ａは、乗りかご１３が侵入の発生した２階へ停止しているか否かを判定し（ステップＳＢ４）、乗りかご１３が２階へ停止していると判定したときは、乗りかご１３を１階或は３階の最寄階へ走行させる（ステップＳＢ５）。ここで、防犯時乗りかご走行指令装置は、ステップＳＢ５における制御装置１１の処理を示す。
【００２５】
また、ステップＳＢ４で乗りかご１３が２階へ停止していないと判定したとき、制御装置１１のかご不停止階指令部１１Ａは、集合住宅１の２階へ乗りかご１３が停止しないように２階を不停止階へ設定する（ステップＳＢ６）。ここで、乗りかご１３の２階のかご呼び釦１４ｂや、各階の乗場１６のインジケータ１８に配設される乗場呼び釦１８Ａ，１８Ｂを、押圧しても呼びの登録は成されない。
【００２６】
このように、乗りかご１３は侵入階床へ停止させないようにしたので、乗りかご１３の乗客である居住者及び来訪者に対し、侵入者との遭遇を回避できる。
【００２７】
また、制御装置１１のかご位置表示灯制御部１１Ｂは、乗りかご１３のかご位置表示灯１５の２階表示灯１５ｂを点灯させるとともに、１階表示灯１５ａ，３階表示灯１５ｃ〜５階表示灯１５ｅを点滅させ、また、各階の乗場１６に設けたインジケータ１８の２階表示灯１８ｂを点灯させるとともに、１階表示灯１８ａ，３階表示灯１８ｃ〜５階表示灯１８ｅを点滅させる（ステップＳＢ７）。
【００２８】
このように、かご位置表示灯１５の１階表示灯１５ａ〜５階表示灯１５ｅの点灯と点滅、及びインジケータ１８の１階表示灯１８ａ〜５階表示灯１８ｅの点灯と点滅をさせることで、乗りかご１３や乗場１６の居住者や来訪者に対して侵入者の存在と侵入階床を知らせることができる。
【００２９】
次に、制御装置１１は、動作したドア用防犯センサ２Ａａが復旧したとき出力する復旧信号が、防犯端末装置４から送信されたか否かを判定し（ステップＳＢ８）、復旧信号が送信されていないとき、ステップＳＢ６戻り、復旧信号を受信すると終了する。
【００３０】
本実施形態によれば、防犯センサであるドア用防犯センサ２Ａａ、３Ａａと窓用防犯センサ２Ｂａ、３Ｂａが図示しない侵入者を検出すると、動作した防犯センサの設置階床へ、エレベータの乗りかご１３を停止させないようにするとともに、乗りかご１３に設けられるかご位置表示灯１５の１階表示灯１５ａ〜５階表示灯１５ｅの点灯と点滅、及び乗場１６に設けられるインジケータ１８の１階表示灯１８ａ〜５階表示灯１８ｅの点灯と点滅によって、侵入者の存在と侵入階床を居住者及び来訪者へ知らせるようにしたので、侵入者との遭遇を極力回避でき、居住者及び来訪者の安全を保つことができる。
【符号の説明】
【００３１】
１  集合住宅
２  ２０１号室
３  ２０２号室
２Ａ、３Ａ  ドア
２Ｂ、３Ｂ  窓
２Ａａ、３Ａａ  ドア用防犯センサ
２Ｂａ、３Ｂａ  窓用防犯センサ
４  防犯端末装置
５  入力装置
６  制御装置
７  階床情報
８  通報装置
９  エレベータ制御装置
１０  入力装置
１１  制御装置
１１Ａ  かご不停止階指令部
１１Ｂ  かご位置表示灯制御部
１２  出力装置
１３  エレベータ乗りかご
１４ａ〜１４ｅ  かご呼び釦
１５  かご位置表示装置
１５ａ〜１５ｅ  １階〜５階表示灯
１６  乗場
１７  乗場ドア
１８  インジケータ
１８Ａ，１８Ｂ  乗場呼び釦
１８ａ〜１８ｅ  １階〜５階表示灯
【図１】
0006276683.tif 000002
【図２】
0006276683.tif 000003